(57)【要約】【課題】  利用者が睡眠時に無呼吸となった場合に、睡眠からの覚醒を外部から補助することが可能な無呼吸警報機能付き携帯電話機を提供する。【解決手段】  通信部４が備える無線通信機能により通話が可能な携帯電話機において、利用者の呼吸音を検知するための検知用マイク７あるいは通話用マイク６が接続された音声処理部５と、利用者が無呼吸状態であることを通知するための音源１３、あるいはバイブレータ１４、あるいは通信部４と、利用者の呼吸音の間隔を分析して利用者の所定期間以上の無呼吸状態を検出する呼吸音分析部８と、所定期間以上の無呼吸状態が検出された場合に、音源１３、あるいはバイブレータ１４、あるいは通信部４を作動させるＣＰＵ１とを備え、利用者が無呼吸状態となった場合に、音、振動、あるいは通信によって、利用者本人、または利用者以外の第３者に、該利用者が無呼吸状態であることを通知する。【選択図】  図１
2005204896.tif 000002
【特許請求の範囲】
【請求項１】
利用者の呼吸音を検知するための呼吸音検知手段と、
前記呼吸音の間隔を分析し、前記利用者の所定期間以上の無呼吸状態を検出する呼吸音分析手段と、
所定期間以上の無呼吸状態が検出された場合に警報を出力する警報手段と
を備えたことを特徴とする無呼吸警報機能付き携帯電話機。
【請求項２】
前記呼吸音検知手段が、専用に備えられた検知用マイクを利用して前記呼吸音を取得する
ことを特徴とする請求項１に記載の無呼吸警報機能付き携帯電話機。
【請求項３】
前記呼吸音検知手段が、通話用に予め備えられた音声マイクを利用して前記呼吸音を取得する
ことを特徴とする請求項１に記載の無呼吸警報機能付き携帯電話機。
【請求項４】
前記警報手段が、前記利用者の所定期間以上の無呼吸状態が検出された場合に、着信通知用に備えられた音源を利用して音を発生する
ことを特徴とする請求項１から請求項３のいずれかに記載の無呼吸警報機能付き携帯電話機。
【請求項５】
前記警報手段が、前記利用者の所定期間以上の無呼吸状態が検出された場合に、着信通知用に予め備えられた振動発生器を利用して振動を発生する
ことを特徴とする請求項１から請求項３のいずれかに記載の無呼吸警報機能付き携帯電話機。
【請求項６】
前記警報手段が、前記利用者の所定期間以上の無呼吸状態が検出された場合に、通話用に予め備えられた無線通信機を利用して所定の通信先へ発信する
ことを特徴とする請求項１から請求項３のいずれかに記載の無呼吸警報機能付き携帯電話機。
【発明の詳細な説明】
【技術分野】
【０００１】
本発明は、無線通信機能により通話が可能な無呼吸警報機能付き携帯電話機に関する。
【背景技術】
【０００２】
従来、圧力感知型の呼吸・体動センサと、音センサと、該呼吸・体動センサ及び音センサとから得られるデータを記録する記録器とを備え、該記録器に記録されるデータから、利用者が、睡眠時に呼吸が停止するような睡眠障害を患っているか（睡眠時無呼吸症候群であるか）否かを診断するための指標を算出する無呼吸検出器がある（例えば、特許文献１参照。）。
【特許文献１】特開平１０−２９５６９５号公報
【発明の開示】
【発明が解決しようとする課題】
【０００３】
ところで、利用者が睡眠時に無呼吸となった場合、該利用者が自発的に睡眠から覚醒することが望まれるが、この時、より速く睡眠から覚醒することが望まれる。
【０００４】
本発明は、上記課題に鑑みてなされたもので、利用者が睡眠時に無呼吸となった場合に、睡眠からの覚醒を外部から補助することが可能な無呼吸警報機能付き携帯電話機を提供することを目的とする。
【課題を解決するための手段】
【０００５】
上記課題を解決するために、請求項１の発明に係る無呼吸警報機能付き携帯電話機は、利用者の呼吸音を検知するための呼吸音検知手段（例えば実施例の音声処理部５）と、前記呼吸音の間隔を分析し、前記利用者の所定期間以上の無呼吸状態を検出する呼吸音分析手段（例えば後述する実施例の呼吸音分析部８）と、所定期間以上の無呼吸状態が検出された場合に警報を出力する警報手段（例えば後述する実施例のＣＰＵ１）とを備えたことを特徴とする。
【０００６】
以上の構成を備えた無呼吸警報機能付き携帯電話機は、呼吸音検知手段が検知した利用者の呼吸音を、呼吸音分析手段が分析することにより該利用者の所定期間以上の無呼吸状態を検出し、更にこの時、警報手段が警報を出力することで、利用者本人または利用者以外の第３者に該利用者が無呼吸状態であることを通知することができる。
【０００７】
請求項２の発明に係る無呼吸警報機能付き携帯電話機は、請求項１に記載の無呼吸警報機能付き携帯電話機において、前記呼吸音検知手段が、専用に備えられた検知用マイク（例えば後述する実施例の検知用マイク７）を利用して前記呼吸音を取得することを特徴とする。
【０００８】
以上の構成を備えた無呼吸警報機能付き携帯電話機は、専用に備えられた検知用マイク用いて正確に利用者の呼吸音を取得することができる。
【０００９】
請求項３の発明に係る無呼吸警報機能付き携帯電話機は、請求項１に記載の無呼吸警報機能付き携帯電話機において、前記呼吸音検知手段が、通話用に予め備えられた音声マイク（例えば後述する実施例の通話用マイク６）を利用して前記呼吸音を取得することを特徴とする。
【００１０】
以上の構成を備えた無呼吸警報機能付き携帯電話機は、通話用に予め備えられた音声マイクを用いて容易に利用者の呼吸音を取得することができる。
【００１１】
請求項４の発明に係る無呼吸警報機能付き携帯電話機は、請求項１から請求項３のいずれかに記載の無呼吸警報機能付き携帯電話機において、前記警報手段が、前記利用者の所定期間以上の無呼吸状態が検出された場合に、着信通知用に備えられた音源（例えば後述する実施例の音源１３）を利用して音を発生することを特徴とする。
【００１２】
以上の構成を備えた無呼吸警報機能付き携帯電話機は、着信通知用に備えられた音源が出力する着信音によって、利用者本人または利用者の周囲の第３者に該利用者が無呼吸状態であることを通知することができる。
【００１３】
請求項５の発明に係る無呼吸警報機能付き携帯電話機は、請求項１から請求項３のいずれかに記載の無呼吸警報機能付き携帯電話機において、前記警報手段が、前記利用者の所定期間以上の無呼吸状態が検出された場合に、着信通知用に予め備えられた振動発生器（例えば後述する実施例のバイブレータ１４）を利用して振動を発生することを特徴とする。
【００１４】
以上の構成を備えた無呼吸警報機能付き携帯電話機は、着信通知用に備えられた振動発生器が出力する振動によって、周囲に知られずに利用者のみに該利用者が無呼吸状態であることを通知することができる。
【００１５】
請求項６の発明に係る無呼吸警報機能付き携帯電話機は、請求項１から請求項３のいずれかに記載の無呼吸警報機能付き携帯電話機において、前記警報手段が、前記利用者の所定期間以上の無呼吸状態が検出された場合に、通話用に予め備えられた無線通信機（例えば後述する実施例の通信部４）を利用して所定の通信先へ発信することを特徴とする。
【００１６】
以上の構成を備えた無呼吸警報機能付き携帯電話機は、通話用に備えられた無線通信機を利用して発信することで、遠隔地にいる第３者にも該利用者が無呼吸状態であることを通知することができる。
【発明の効果】
【００１７】
本発明の無呼吸警報機能付き携帯電話機によれば、利用者の睡眠時の無呼吸状態を検知して警報を出力することで、利用者本人または利用者以外の第３者に該利用者が無呼吸状態であることを通知することができる。
従って、利用者本人が警報に気づいた場合には、音あるいは振動等による警報を目覚まし機能の代用として利用することができるので、睡眠からの覚醒を外部から補助し、利用者を睡眠から素早く覚醒させることができ、利用者本人が無呼吸であったということを認識することができるという効果が得られる。また、利用者以外の第３者が警報に気づいた場合には、該第３者が利用者を意図的に睡眠から覚醒させることができる。
【００１８】
また、特に通話用に予め備えられた音声マイク、及び着信通知用に予め備えられた音源または振動発生器、更には通話用に予め備えられた無線通信機を利用することで、新たな装備を備える必要がないので、コストを上昇させずに多機能な携帯電話機を実現させることができるという効果が得られる。また、着信通知用に予め備えられた振動発生器を利用することで、周囲に迷惑をかけずに、利用者のみを睡眠から素早く覚醒させることができるという効果が得られる。更に、通話用に予め備えられた無線通信機を利用することで、利用者から離れた場所にいる第３者に通知することもできるので、利用者のいる場所へ行き、利用者を睡眠から素早く覚醒させたり、利用者の寝ている姿勢を変えて無呼吸状態を解除する等の必要な手段をとるように指示することもできる。
【発明を実施するための最良の形態】
【００１９】
以下、図面を参照して本発明の実施例について説明する。
【実施例】
【００２０】
（全体構成）
図１は、本発明の一実施例の無呼吸警報機能付き携帯電話機の構成を示すブロック図である。
図１において、ＣＰＵ（中央処理装置）１は、電話制御プログラムを実行することにより、携帯電話機各部の動作を制御する。また、データ読み書き用のＲＡＭ（ランダムアクセスメモリ）２は、ユーザ設定データなどを格納するメモリである。また、ＲＯＭ（リードオンリメモリ）３はＣＰＵ１が実行する送信や着信の各種電話制御プログラムなどを格納している。
【００２１】
一方、通信部４は、送信信号の変調機能および受信信号の復調機能を有し、アンテナ４ａを介して外部との通信を行うための無線通信機である。
また、音声処理部５は、通話用マイク６あるいは検知用マイク７により取得した音声あるいは音を量子化してディジタル音声信号とするＡ／Ｄ変換器５ａを備えており、携帯電話機を音声通話に利用する場合は、ディジタル音声信号をバッファ５ｂを介して符号器５ｃへ入力して圧縮符号化し、通信部４を通じてアンテナ４ａから送信する。一方、携帯電話機を利用者の無呼吸状態の検出に利用する場合は、ディジタル音声信号をバッファ５ｄを介して呼吸音分析部８へ入力する。なお、利用者が音声通話か無呼吸状態の検出かを選択することによって、バッファ５ｂとバッファ５ｄによりディジタル音声信号の入力先が選択される。
【００２２】
更に、音声処理部５について説明すると、音声処理部５は、通信部４で復調された受信データを復号器５ｅにおいて復号すると共に、ディジタル信号をアナログ信号化するＤ／Ａ変換器５ｆによってアナログ音声信号に変換し、通話用スピーカ９にて音声出力する。なお、音声処理部５は、利用者の無呼吸状態を検知するための検知用マイク７を接続するためのインタフェースも備えている。
【００２３】
また、呼吸音分析部８は、利用者の呼吸音の間隔を分析し、利用者の所定期間以上の無呼吸状態を検知する演算部であって、利用者の所定期間以上の無呼吸状態が検知された場合、ＣＰＵ１に通知される。なお、呼吸音分析部８は、ＣＰＵ１の機能の一部としてソフトウェアによる処理によって実現しても良い。また、呼吸音分析部８及びＣＰＵ１による利用者の呼吸状態の監視処理については、詳細を後述する。
【００２４】
また、入力部１０は「０」〜「９」のテンキーやファンクションキー等から構成され、電話番号や各種の機能データを入力可能にしている。更に、ＬＣＤ１１は電話機能のメニューや、テンキーやファンクションキーなどの入力操作に応じたデータの画面表示を行う液晶を利用した表示部であって、一方、ＬＥＤ１２は、携帯電話機に対する着信や該携帯電話機からの発信の状態を発光表示する表示部である。
【００２５】
また、音源１３は、携帯電話機に対する着信を通知するための着信音を発生する着信音出力手段であって、通信部４を通して着信信号を受けたとき、スピーカ１３ａから着信音を発する。
一方、バイブレータ１４は、携帯電話機に対する着信を通知するための振動を発生する振動発生器であって、通信部４を通して着信信号を受けたとき、携帯電話機全体を振動させる。
【００２６】
なお、上述のＣＰＵ１と、ＲＡＭ２と、ＲＯＭ３と、通信部４と、音声処理部５と、呼吸音分析部８と、入力部１０と、ＬＣＤ１１と、ＬＥＤ１２と、音源１３と、バイブレータ１４とは、通信用バス線１５によって接続されており、必要な情報（データ）を相互に通信可能に接続されている。
【００２７】
（携帯電話機及び検知用マイクの外観）
次に、本実施例の無呼吸警報機能付き携帯電話機及び検知用マイク７の外観について簡単に説明する。図２は、本実施例の無呼吸警報機能付き携帯電話機及び検知用マイク７の外観を示す図である。図２に示すように、検知用マイク７は長いコード７ａを備えており、携帯電話機に設けられたマイクジャック１６に接続して用いることにより、携帯電話機本体と検知用マイク７とを分離し、後述するように、検知用マイク７によって可能な限り利用者の鼻や口に近い部分で利用者の睡眠時の呼吸音を取得できるように構成されている。なお、携帯電話機のＬＣＤ１１には、利用者の呼吸のリズム等を波形として表示しても良い。
【００２８】
（呼吸状態の監視処理）
次に、図面を参照して本実施例の無呼吸警報機能付き携帯電話機の呼吸音分析部８及びＣＰＵ１による利用者の呼吸状態の監視処理について説明する。図３は、本実施例の無呼吸警報機能付き携帯電話機の呼吸音分析部８及びＣＰＵ１による利用者の呼吸状態の監視処理動作を示すフローチャートである。
図３において、呼吸音分析部８は、利用者の入力操作により呼吸状態の監視処理機能が作動状態となっている場合、検知用マイク７あるいは通話用マイク６によって、利用者の睡眠時の呼吸音を取得する集音処理を実行する（ステップＳ１）。ここで、利用者の睡眠時の呼吸音の取得方法は、検知用マイク７をテープ等を用いて利用者の鼻や口に近い位置に貼り付けたり、利用者の顔面の近傍の衣服に取り付けて、利用者の睡眠時の呼吸音を取得することが好ましいが、簡易的に通話用マイク６を用いて利用者の睡眠時の呼吸音を取得するようにしても良い。
【００２９】
次に、呼吸音分析部８は、取得された利用者の睡眠時の呼吸音の間隔を分析し、利用者が所定期間以上の無呼吸状態であるか否かを判定する（ステップＳ２）。具体的には、取得された利用者の睡眠時の呼吸音の強さが一定時間以上の間、予め設定されたしきい値以下である場合、該一定時間無呼吸状態が継続したと判断する。
ステップＳ２において、利用者が所定期間以上の無呼吸状態ではないと判定された場合（ステップＳ２のＮＯ）、呼吸音分析部８は、ステップＳ１へ戻り、利用者の睡眠時の呼吸音の取得を継続する（ステップＳ１）。
【００３０】
一方、ステップＳ２において、利用者が所定期間以上の無呼吸状態であると判定された場合（ステップＳ２のＹＥＳ）、呼吸音分析部８はＣＰＵ１に通知し、ＣＰＵ１は利用者によって予め設定された所定の警報通知処理を実行する（ステップＳ３）。ここで、利用者によって予め設定された所定の警報通知処理について説明すると、例えば利用者本人及びその周囲の第３者に、該利用者が無呼吸状態であることを通知するためには、警報として、音源１３を作動させて利用者に選択された着信音をスピーカ１３ａから出力すれば良い。また、利用者本人のみに該利用者が無呼吸状態であることを通知するためには、警報として、バイブレータ１４を作動させて、携帯電話機自体を振動させれば良い。
【００３１】
更に、利用者から離れた場所にいる第３者に該利用者が無呼吸状態であることを通知するためには、通信部４を作動させて利用者によって設定された通信先電話番号に発信し、警報として、所定のメッセージや音を発して、利用者を睡眠から覚醒させるように第３者に指示すれば良い。なお、音源１３、バイブレータ１４、通信部４の全てを同時に作動させて、利用者が無呼吸状態であることを通知するようにしても良い。
【００３２】
そして、ＣＰＵ１は、作動した所定の警報通知処理の停止操作が入力されたか否かを判定し（ステップＳ４）、停止操作が入力されていない場合（ステップＳ４のＮＯ）、ステップＳ３へ戻り、所定の警報通知処理を継続する。
一方、ステップＳ４において、停止操作が入力されていた場合（ステップＳ４のＹＥＳ）、ＣＰＵ１は作動中の警報通知処理を停止する（ステップＳ５）。そして、利用者の入力操作により呼吸状態の監視処理機能が作動状態となっている間は、ステップＳ１へ戻り、上述の処理を繰り返す。
【００３３】
なお、本実施例では、呼吸音分析部８が呼吸音分析手段を含んでおり、図３に示すステップＳ２の処理がこれに相当する。一方、本実施例では、ＣＰＵ１が警報手段を含んでおり、図３に示すステップＳ３の処理がこれに相当する。
【００３４】
また、本実施例では、利用者が無呼吸状態となった場合に、無呼吸警報機能付き携帯電話機が、警報として、音、振動、あるいは通信により利用者本人、またはその周囲の第３者、あるいは離れた場所にいる第３者に、該利用者が無呼吸状態であることを通知する例について説明したが、無呼吸警報機能付き携帯電話機は、通知するだけでなく、無呼吸状態が検出された時の日時をＲＡＭ２に記録したり、一晩に無呼吸状態が検出された回数をカウントしてＲＡＭ２に記録するようにしても良い。こうすることで、利用者はあとで自分が無呼吸の状態となっていたことを把握することができる。
【００３５】
以上説明したように、本実施例の無呼吸警報機能付き携帯電話機によれば、通信部４が備える無線通信機能により通話が可能な携帯電話機において、利用者の呼吸音を検知するための検知用マイク７あるいは通話用マイク６が接続された音声処理部５と、利用者が無呼吸状態であることを通知するための音源１３、あるいはバイブレータ１４、あるいは通信部４と、利用者の呼吸音の間隔を分析して利用者の所定期間以上の無呼吸状態を検出する呼吸音分析部８と、所定期間以上の無呼吸状態が検出された場合に、音源１３、あるいはバイブレータ１４、あるいは通信部４を作動させるＣＰＵ１とを備え、利用者が無呼吸状態となった場合に、音、振動、あるいは通信により警報を発することで、利用者本人、またはその周囲の第３者、あるいは離れた場所にいる第３者に、該利用者が無呼吸状態であることを通知することができる。
従って、睡眠からの覚醒を外部から補助し、利用者を睡眠から素早く覚醒させることができると共に、利用者は自分が無呼吸の状態となっていたことを認識することができるという効果が得られる。
【００３６】
また、特に通話用に予め備えられた通話用マイク６、及び着信通知用に予め備えられた音源１３またはバイブレータ１４、更には通話用に予め備えられた通信部４を利用することで、新たな装備を備える必要がないので、コストを上昇させずに多機能な携帯電話機を実現させることができるという効果が得られる。また、着信通知用に予め備えられたバイブレータ１４を利用することで、周囲に迷惑をかけずに、利用者のみを睡眠から素早く覚醒させることができるという効果が得られる。更に、通話用に予め備えられた通信部４を利用することで、利用者から離れた場所にいる第３者に通知することもできるので、利用者のいる場所へ行き、利用者を睡眠から素早く覚醒させたり、利用者の寝ている姿勢を変えて無呼吸状態を解除する等の必要な手段をとるように指示することもできる。
【図面の簡単な説明】
【００３７】
【図１】本発明の一実施例の無呼吸警報機能付き携帯電話機の構成を示すブロック図である。
【図２】同実施例の無呼吸警報機能付き携帯電話機及び検知用マイクの外観を示す図である。
【図３】同実施例の無呼吸警報機能付き携帯電話機の呼吸音分析部及びＣＰＵによる利用者の呼吸状態の監視処理動作を示すフローチャートである。
【符号の説明】
【００３８】
１・・・ＣＰＵ（警報手段）、２・・・ＲＡＭ、３・・・ＲＯＭ、４・・・通信部（無線通信機）、４ａ・・・アンテナ、５・・・音声処理部（呼吸音検知手段）、５ａ・・・Ａ／Ｄ変換器、５ｂ・・・バッファ、５ｃ・・・符号器、５ｄ・・・バッファ、５ｅ・・・復号器、５ｆ・・・Ｄ／Ａ変換器、６・・・通話用マイク（音声マイク）、７・・・検知用マイク、７ａ・・・コード、８・・・呼吸音分析部（呼吸音分析手段）、９・・・通話用スピーカ、１０・・・入力部、１１・・・ＬＣＤ、１２・・・ＬＥＤ、１３・・・音源、１３ａ・・・スピーカ、１４・・・バイブレータ（振動発生器）、１５・・・通信用バス線、１６・・・マイクジャック
【図１】
2005204896.tif 000003
【図２】
2005204896.tif 000004
【図３】
2005204896.tif 000005